(57)【要約】【課題】  ＣＤおよびＤＶＤなどデータが入っているディスクを読取り再生する場合に、等速度処理を行うためエラー処理が完全には追いつかず不完全な状態のデータとして再生していたものを、ほぼ完全な状態のデータとする読取りを行う事を目的とする。【解決手段】  ＣＤ読取りを高速で行い、いったんメモリにデータを蓄える事でエラー処理にかける時間を伸ばす事でほぼ完全な状態の品質の良い読取りをする。【選択図】  図１
2005116139.tif 000002
【特許請求の範囲】
【請求項１】
ＣＤおよびＤＶＤを読取る装置において、ディスクを高速で読取りメモリに蓄える事により、エラー訂正処理にかける時間を十分取ることにより正確なデータを読取ることができるディスク読取装置
【請求項２】
ディスクより読取ったデータを蓄えたメモリより、リアルタイム処理で再生することを特徴とする請求項１記載のディスク読取再生装置。
【請求項３】
ディスクはオーディオＣＤを読取る装置であることを特徴とする請求項１記載のディスク読取装置。
【請求項４】
ディスクはオーディオＣＤを読取り再生する装置であることを特徴とする請求項２記載のオーディオＣＤ読取再生装置。
【請求項５】
ディスクを読取る装置において、ディスクを高速で読取りエラー訂正処理を十分に行った後、データをメモリに蓄える事により、再生することができるディスク読取方法
【請求項６】
オーディオＣＤを読取る装置において、ＣＤを高速で読取りエラー訂正処理を十分に行った後、データをメモリに蓄える事により、再生することができるＣＤ読取方法
【発明の詳細な説明】
【技術分野】
【０００１】  本発明は、ＣＤおよびＤＶＤなどデータが入っているディスク特にはオーディオＣＤをエラーの無く聴く事ができる読取再生装置及び読取方法に関する。
【背景技術】
【０００２】  ＣＤおよびＤＶＤなどデータが入っているディスク特にはオーディオＣＤを聴く場合に、オーディオＣＤ（ＣＤ−ＤＡ）の仕様書があり、サンプリングレートやチャンネル数、収録できる周波数の範囲などを規定しているほか、ディスクの物理的な仕様や信号の記述方式など、オーディオＣＤに限らず、全てのＣＤおよびＤＶＤに適用される仕様も数多く決められている。【０００３】オーディオＣＤの一例として、１フレーム（ブロック）が２３５２バイトで構成されること、データは内周から書き込むことなどがＲＥＤ  ＢＯＯＫで規定されている。ＲＥＤ  ＢＯＯＫでは拡張用の領域（サブコード）を用意しており、ＣＤ−ＴＥＸＴなどのオーディオＣＤを拡張する規格はこのサブコードを活用することによって実現されている。【０００４】  たとえば、特許文献１には読取時のエラー訂正不能または信頼性が低いと判断されたときに音声出力の音質劣化を改善するため、エラーフラグを立ててメモリコントローラを使用してエラー検出前に戻し再開させる事により出力音質の劣化防止をする装置について記載されている。
【特許文献１】特開平１１−２６５５５２号公報
【発明の開示】
【発明が解決しようとする課題】
【０００５】  図４の従来の読取りについて模式図で説明すると、ＣＤ１１０特にはオーディオＣＤ１１０より等速度でデータを読取り、エラー訂正処理１１１を行い、Ｄ／Ａコンバータ１１３にデータを受け渡して再生していた。従来のプログラムフロー図５で説明するとＣＤ１１０を読取るためプログラムをスタート１２０し、データを読込む処理１２１を行う。この時ＣＤがうまく読取れない等の発生した場合は再度読込みを行うエラー訂正処理１２２をしていた。その後エラーが完全になくなったか、または時間的制約から不完全な状態で再生１２７を行っていた。再生が終了１２８すると次の音楽が無い場合はＥＮＤ１２９になり、次の音楽がある場合は再度繰り返すプログラムになっていた。【０００６】  このエラー訂正処理について詳細を記載すると、オーディオＣＤを読取る場合に、読み取り時はＣＤの記録状態の悪さ、傷、ジッター等の悪影響があげられ通常の場合は読取りができない場合は、同じ個所を時間が許す限り読取りの速度を変えたり、読取りの回数を多くすることでこの問題から回避される可能性を高くしている。しかしながら、等速度処理でリアルタイム再生の場合は無限大の高速読み取りは不可能であるのと、一般的には読取り速度を下げた方が読み取りやすいと言うことがあるために、リアルタイム再生という時間的制約の中で再読取りのできる回数にも限界があった。【０００７】  また、読取りのエラーはその環境や機器の状態により読む時々によって異なる場合が有ることが容易に想像できるが、これはある意味再生するたびに再生するデータが違うことを意味している。オーディオＣＤの場合は音質が毎回違ってくるという結果になって現れる。なお、ＲＥＤ  ＢＯＯＫでもデータエラー訂正機能としてＣＩＲＣが用意されているがＣＩＲＣでエラー訂正できなかった場合は周囲のデータを参考に補完するといったオーディオ独特の仕様となっている。
（ＣＩＲＣによる誤り訂正符号化）
（ＩＳＯ／ＩＥＣ  １０１４９：１９９５の  Ａｎｎｅｘ  Ｃ  Ｅｒｒｏｒ  Ｃｏｒｒｅｃｔｉｏｎ  ｅｎｃｏｄｉｎｇ  ｂｙ  ＣＩＲＣ  による。）【０００８】  これはオーディオＣＤに限られたことではなく、ＤＶＤ−ＲＯＭ、ＤＶＤ−ＶＩＤＥＯ、ＤＶＤ−ＡＵＤＩＯ等でＤＶＤ一般規格の中でのＲＳＰＣエラー処理を行っているためＤＶＤの場合であっても同様に音声や映像やデータなどの読取りができない場合は、同じ個所を時間が許す限り読取りの速度を変えたり、読取りの回数を多くすることでこの問題から回避される可能性を高くしている。しかしながら、等速度処理でリアルタイム再生の場合は無限大の高速読み取りは不可能であるのと、一般的には読取り速度を下げた方が読み取りやすいと言うことがあるために、リアルタイム再生という時間的制約の中で再読取りのできる回数にも限界があった。
【課題を解決するための手段】
【０００９】  本発明は上記目的を達成するため次の構成を備える。
ＣＤおよびＤＶＤなどデータが入っているディスク特にはオーディオＣＤを読取り再生する装置の場合に、ＣＤを高速度に読取りを行い、エラー訂正処理をほぼ完全に行った後、データをメモリに蓄える。このデータを再生する場合は、このメモリに蓄えられたデータより再生を行う。この読取りと再生を同じ装置において行うことで従来のオーディオＣＤ再生装置と同じようにすることもできる。
【発明の効果】
【００１０】  本発明に係る装置及び方法によれば以下のような優れた効果を発揮することができる。ＣＤを読取りする時に、高速度読取りを行うためエラー訂正処理にかける時間を多くすることができ、ほぼ完全な状態でデータを取込むことができるため、品質の良い音楽を再生することができるという優れた効果が存在する。
また、本発明は本実施例に限定されず、本発明を逸脱しない範囲において改変も可能である。
【発明を実施するための最良の形態】
【００１１】  以下、本発明の好適な実施の形態を添付図面に基づいて詳細に説明する。
図１は本発明に係る実施の形態を表す読取り時と再生時を模式的に表した図である。図２は本発明に係る実施の形態を表す読取り時のプログラムプログラムフロー図面である。図３は本発明に係る実施の形態を表す再生時のプログラムプログラムフロー図面である。図４は従来の読取り再生時を模式的に表した図である。図５は従来の読取り再生時のプログラムプログラムフロー図面である。【００１２】  図１において、ＣＤ１０を高速処理で読取り、読取り時のエラー訂正処理１１を行った後、ほぼ完全な状態で読取りを行った後にメモリ１２にいったん蓄える。蓄えられた状態の音声や映像やデータはほぼ完全な状態となって読取りがされているので、再度このメモリ１２に蓄えられた状態よりＤ／Ａコンバータ１３を介して音声や映像やデータを送るというシステムになる。たとえばＤ／Ａコンバータ１３の後ろにオーディオ用装置を取り付けることで、ＣＤ品質にほぼ近い状態の音が取り出せることとなる。【００１３】  以下、プログラムフロー図２、図３とともに詳述する。図２においては、プログラムをスタート２０させ、ＣＤ１０を読込２１、エラーがあった場合は、再度読取り速度を変えて読取る。多くの場合は読取り速度を落とすと良い。これを繰り返し、読取り、ほぼ完全な状態になるまで読取りを行うというエラー訂正処理２２を行い、メモリ２３に記録する。なお、どうしてもほぼ完全な状態で読取ることができない場合は、従来同様にエラーがあった箇所の音声や映像やデータを補間データに置き換えても良い。オーディオＣＤの場合は曲が終了２４し、次の曲がある場合は再度最初から読込２１が行われ、次の曲が無い場合はプログラムがＥＮＤ２５となる。【００１４】  図３は、再生時のプログラムフロー図を表し、プログラムをスタート２６させ、メモリに蓄えられた音声や映像やデータを再生２７する。オーディオＣＤの場合は曲が終了２８し、次の曲がある場合は再度最初から再生２７が行われ、次の曲が無い場合はプログラムがＥＮＤ２９となる。【００１５】  このように図２と図３は独立した作業として書いたが、１台のオーディオＣＤ再生装置の場合は１曲の読取りが終わった時点で再生をスタートすることにより、品質の良い再生が可能となる。実際高速読取りを行うと４分程度の音楽１曲は１０秒程度で読取る事ができるため、視聴者に違和感に無く聴くことができる。また、１曲が終わる前でも、多少データが貯まった時点で再生をスタートしても良い。【００１６】  本実施例はオーディオＣＤを例にしたが、オーディオＣＤに限定することなく、ＤＶＤ−ＲＯＭ、ＤＶＤ−ＶＩＤＥＯ、ＤＶＤ−ＡＵＤＩＯ等のＤＶＤ一般規格にも適用することができる。
【図面の簡単な説明】
【００１７】
【図１】読取り時と再生時を模式的に表した図である。
【図２】読取り時のプログラムプログラムフロー図面である。
【図３】再生時のプログラムプログラムフロー図面。
【図４】従来の読取り再生時を模式的に表した図である。
【図５】従来の読取り再生時のプログラムプログラムフロー図面である。
【符号の説明】
【００１６】１０  ＣＤ
１１  エラー訂正処理
１２  メモリ
１３  Ｄ／Ａコンバータ
１６  フィンストレート部
２１  読込
２２  エラー訂正処理
２３  メモリ
２７  再生処理
１１０  ＣＤ
１１１  エラー訂正処理
１１３  Ｄ／Ａコンバータ
１２１  メモリ
１２２  エラー訂正処理
１２７  再生処理
【図１】
2005116139.tif 000003
【図４】
2005116139.tif 000004
【図２】
2005116139.tif 000005
【図３】
2005116139.tif 000006
【図５】
2005116139.tif 000007